(57)【特許請求の範囲】
【請求項１】
携行品を管理し携行品忘れを通知する携行品管理装置において、
携行品に備えられた無線タグ情報を読み取るタグ情報読取部と、
携行必要な携行品の品名情報と該携行品を携行必要とするユーザのユーザ名情報と該携行品に対応した無線タグ情報と該携行品の携行条件とを含む携行品管理情報を記憶する管理情報記憶部と、
前記タグ情報読取部で読み取った無線タグ情報と前記管理情報記憶部に記憶されている携行品管理情報に基づいて、ユーザ判別処理と携行品忘れ通知処理と携行品管理情報更新処理とを行う携行品管理実行部と、
表示部と、
操作部と、を備え、
前記携行品管理実行部は、
前記ユーザ判別処理として、前記タグ情報読取部が読み取った無線タグ情報に関連付けられたユーザ名が一つである場合には、前記ユーザ名で示されるユーザを前記携行品忘れ通知処理の対象のユーザと判別し、前記タグ情報読取部が読み取った無線タグ情報に関連付けられたユーザ名が複数である場合には、前記複数のユーザ名を前記表示部に表示し、前記操作部で選択されたユーザ名で示されるユーザを前記携行品忘れ通知処理の対象のユーザと判別し、
前記携行品忘れ通知処理として、前記管理情報記憶部に記憶された携行品管理情報に含まれる無線タグ情報が前記タグ情報読取部で読み取れなかった場合に、前記読み取れなかったタグ情報に関連付けられた品名情報を前記ユーザ判別処理で判別したユーザの携行忘れ品として前記表示部に表示することにより通知し、
前記携行品管理情報更新処理として、前記タグ情報読取部が前記携行品管理情報に登録されていない無線タグ情報を読み取った場合には、該無線タグ情報を前記判別したユーザの携行品の無線タグ情報として登録することを特徴とする携行品管理装置。
【請求項２】
請求項１に記載の携行品管理装置において、
日時及び曜日の情報を出力する計時部を備え、
前記携行品管理情報には前記携行条件として、携行必要な携行品を曜日毎またはイベント毎に区別して登録しておき、
前記携行品管理実行部は、前記計時部からの日時及び曜日の情報、またはイベントの有無の情報に基づいて、前記判別したユーザの携行品忘れを判定することを特徴とする携行品管理装置。
【請求項３】
携行品を管理し携行品忘れを通知する携行品管理装置において、
携行品に備えられた無線タグ情報を読み取るタグ情報読取部と、
ユーザ毎に携行必要として予め登録された携行品と該携行品に対応した無線タグ情報、及び該携行品の携行条件を含む携行品管理情報を記憶する管理情報記憶部と、
前記タグ情報読取部で読み取った無線タグ情報と前記管理情報記憶部に記憶されている携行品管理情報に基づいて、ユーザを判別するとともに、判別したユーザの携行品忘れを判定して通知する携行品管理実行部と、
日時及び曜日の情報を出力する計時部を備え、
前記携行品管理情報には前記携行条件として、携行必要な携行品を曜日毎またはイベント毎に区別して登録しておき、
前記携行品管理実行部は、
前記タグ情報読取部が前記携行品管理情報に登録されていない無線タグ情報を読み取った場合には、該無線タグ情報を前記判別したユーザの携行品の無線タグ情報として登録し、
前記計時部からの日時及び曜日の情報、またはイベントの有無の情報に基づいて、前記判別したユーザの携行品忘れを判定し、
携行品の確認動作を行った回数、及び携行品の無線タグを検出した回数を曜日毎またはイベント毎にログ情報を作成して前記携行品管理情報として記憶し、所定の携行必須条件を満足する携行品を携行必要な携行品として前記携行条件を設定することを特徴とする携行品管理装置。
【請求項４】
情報端末装置と連携して携行品を管理し携行品忘れを通知する携行品管理装置において、
前記情報端末装置と情報の送受信を行う通信部と、
前記情報端末装置から取得したユーザのスケジュール情報を記憶するスケジュール情報記憶部と、
日時及び曜日の情報を出力する計時部と、
携行品に備えられた無線タグ情報を読み取るタグ情報読取部と、
携行必要な携行品の品名情報と該携行品を携行必要とするユーザのユーザ名情報と該携行品に対応した無線タグ情報と該携行品の携行条件とを含む携行品管理情報を記憶する管理情報記憶部と、
前記タグ情報読取部で読み取った無線タグ情報と前記管理情報記憶部に記憶されている携行品管理情報に基づいて、ユーザ判別処理と携行品忘れ通知処理と携行品管理情報更新処理とを行う携行品管理実行部と、
表示部と、
操作部と、を備え、
前記携行品管理実行部は、
前記ユーザ判別処理として、前記タグ情報読取部が読み取った無線タグ情報に関連付けられたユーザ名が一つである場合には、前記ユーザ名で示されるユーザを前記携行品忘れ通知処理の対象のユーザと判別し、前記タグ情報読取部が読み取った無線タグ情報に関連付けられたユーザ名が複数である場合には、前記通信部を介して前記情報端末装置にユーザ選択通知情報を送信し、該情報端末装置からのユーザ選択応答に従ったユーザを前記携行品忘れ通知処理の対象のユーザと判別し、
前記携行品忘れ通知処理として、前記管理情報記憶部に記憶された携行品管理情報に含まれる無線タグ情報が前記タグ情報読取部で読み取れなかった場合に、前記計時部からの日時及び曜日の情報と、前記スケジュール情報記憶部に記憶している前記ユーザのスケジュール情報と、前記携行品管理情報に含まれる携行条件に基づいて、前記読み取れなかったタグ情報に関連付けられた品名情報を前記ユーザ判別処理で判別したユーザの携行忘れ品として判定して携行品忘れ情報を生成し、前記通信部を介して前記情報端末装置に該携行品忘れ情報を送信し、
前記携行品管理情報更新処理として、前記タグ情報読取部が前記携行品管理情報に登録されていない無線タグ情報を読み取った場合には、該無線タグ情報を前記判別したユーザの携行品の無線タグ情報として登録することを特徴とする携行品管理装置。
【請求項５】
携行品管理装置と情報端末装置とが連携して携行品を管理し携行品忘れを通知する携行品管理システムにおいて、
前記携行品管理装置は、
前記情報端末装置と情報の送受信を行う第１の通信部と、
前記情報端末装置から取得したユーザのスケジュール情報を記憶する第１のスケジュール情報記憶部と、
日時及び曜日の情報を出力する計時部と、
携行品に備えられた無線タグ情報を読み取るタグ情報読取部と、
携行必要な携行品の品名情報と該携行品を携行必要とするユーザのユーザ名情報と該携行品に対応した無線タグ情報と該携行品の携行条件とを含む携行品管理情報を記憶する管理情報記憶部と、
前記タグ情報読取部で読み取った無線タグ情報と前記管理情報記憶部に記憶されている携行品管理情報に基づいて、ユーザ判別処理と携行品忘れ通知処理と携行品管理情報更新処理とを行う携行品管理実行部と、
表示部と、
操作部と、を備え、
前記情報端末装置は、
前記携行品管理装置と情報の送受信を行う第２の通信部と、
ユーザのスケジュール情報を記憶する第２のスケジュール情報記憶部と、を備え、
前記携行品管理装置の前記携行品管理実行部は、
前記ユーザ判別処理として、前記タグ情報読取部が読み取った無線タグ情報に関連付けられたユーザ名が一つである場合には、前記ユーザ名で示されるユーザを前記携行品忘れ通知処理の対象のユーザと判別し、前記タグ情報読取部が読み取った無線タグ情報に関連付けられたユーザ名が複数である場合には、前記第１の通信部を介して前記情報端末装置にユーザ選択通知情報を送信し、該情報端末装置からのユーザ選択応答に従ったユーザを前記携行品忘れ通知処理の対象のユーザと判別し、
前記携行品忘れ通知処理として、前記管理情報記憶部に記憶された携行品管理情報に含まれる無線タグ情報が前記タグ情報読取部で読み取れなかった場合に、前記計時部からの日時及び曜日の情報と、前記第１のスケジュール情報記憶部に記憶している前記ユーザのスケジュール情報と、前記携行品管理情報に含まれる携行条件に基づいて、前記読み取れなかったタグ情報に関連付けられた品名情報を前記ユーザ判別処理で判別したユーザの携行忘れ品として判定して携行品忘れ情報を生成し、前記第１の通信部を介して前記情報端末装置に該携行品忘れ情報を送信し、
前記携行品管理情報更新処理として、前記タグ情報読取部が前記携行品管理情報に登録されていない無線タグ情報を読み取った場合には、該無線タグ情報を前記判別したユーザの携行品の無線タグ情報として登録することを特徴とする携行品管理システム。
【発明の詳細な説明】
【技術分野】
【０００１】
本発明は、外出時の携行品を管理し携行品忘れを通知する携行品管理装置及び携行品管理システムに関する。
【背景技術】
【０００２】
従来、ビジネスマンが出勤する際や子供が通学する際に携行品の忘れ物を検出するため、無線タグ（ＩＤタグ）を用いた忘れ物検出装置が提案されている。
【０００３】
一例として、特許文献１には、「登録されたＩＤタグを検知し、利用者の特定と検知できなかったＩＤタグを検出するＩＤタグ検知手段と、検知できないＩＤタグのあるときにＩＤタグの登録情報と照合し、持ち物名を検出するＩＤタグ照合手段と、検知できないＩＤタグのあるときに利用者に忘れ物があることを知らせる報知手段と、忘れたくない持ち物に付けたＩＤタグの識別情報を登録するＩＤタグ登録手段とを備えてなる忘れ物検出装置」が記載されている。
【先行技術文献】
【特許文献】
【０００４】
【特許文献１】特開２００６−１１５０１号公報
【発明の概要】
【発明が解決しようとする課題】
【０００５】
上記特許文献１の忘れ物検出装置では、忘れてはいけない持ち物に取り付けたＩＤタグを、予めそのユーザに対応して登録する必要があり、手間がかかるという課題があった。また、曜日やイベント（例えば出張等）の条件で持ち物が変わる場合には対応できないという課題があった。
【０００６】
本発明の目的は、前記課題を鑑み、携行品の登録に手間がかからず、曜日やイベントの条件にも対応できる携行品管理装置及び携行品管理システムを提供することである。
【課題を解決するための手段】
【０００７】
前記課題を解決するための手段として、特許請求の範囲に記載の技術を用いる。一例を挙げるならば、携行品を管理し携行品忘れを通知する携行品管理装置において、携行品に備えられた無線タグ情報を読み取るタグ情報読取部と、ユーザ毎に携行必要として予め登録された携行品と該携行品に対応した無線タグ情報、及び該携行品の携行条件を含む携行品管理情報を記憶する管理情報記憶部と、前記タグ情報読取部で読み取った無線タグ情報と前記管理情報記憶部に記憶されている携行品管理情報に基づいて、ユーザを判別するとともに、判別したユーザの携行品忘れを判定して通知する携行品管理実行部と、を備え、前記携行品管理実行部は、前記タグ情報読取部が前記携行品管理情報に登録されていない無線タグ情報を読み取った場合には、該無線タグ情報を前記判別したユーザの携行品の無線タグ情報として登録する構成とする。
【０００８】
また、前記携行品管理情報には前記携行条件として、携行必要な携行品を曜日毎またはイベント毎に区別して登録しておき、前記携行品管理実行部は、前記計時部からの日時及び曜日の情報、またはイベントの有無の情報に基づいて、前記判別したユーザの携行品忘れを判定する構成とする。
【発明の効果】
【０００９】
本発明によれば、登録が自動で行えるとともに曜日やイベントの条件にも対応可能で、使い勝手の優れた携行品管理装置及び携行品管理システムを実現できる。
【図面の簡単な説明】
【００１０】
【図１】実施例１の携行品管理装置の使用形態を示す図。
【図２Ａ】携行品管理装置のハードウェア構成を示す図。
【図２Ｂ】携行品管理装置のソフトウェア構成を示す図。
【図３】携行品管理装置の外観とホーム画面の表示例を示す図。
【図４】携行品管理実行部が行う基本処理を示すフローチャート。
【図５】ユーザ登録処理の一例を示すフローチャート。
【図６Ａ】ユーザリスト画面の表示例を示す図。
【図６Ｂ】ユーザ登録画面の表示例を示す図。
【図６Ｃ】携行品リスト画面Ｂの表示例を示す図。
【図６Ｄ】携行品登録画面Ｂの表示例を示す図。
【図７】携行品登録処理Ｂの一例を示すフローチャート。
【図８】携行品登録処理Ａの一例を示すフローチャート。
【図９】携行品リスト画面Ａの表示例を示す図。
【図１０】携行品確認処理の一例を示すフローチャート。
【図１１】携行品管理情報の例を示す図。
【図１２】携行品リスト画面Ｃの表示例を示す図。
【図１３】携行品確認ログ情報の例を示す図。
【図１４】ユーザ判別処理の一例を示すフローチャート。
【図１５】ユーザ選択画面の表示例を示す。
【図１６】管理情報更新処理の一例を示すフローチャート。
【図１７】実施例２に係る携行品管理システムの使用形態を示す構成図。
【図１８Ａ】携行品管理装置のハードウェア構成を示す図。
【図１８Ｂ】携行品管理装置のソフトウェア構成を示す図。
【図１９Ａ】情報端末装置のハードウェア構成を示す図。
【図１９Ｂ】情報端末装置のソフトウェア構成を示す図。
【図２０】携行品管理実行部が行う基本処理を示すフローチャート。
【図２１】携行品管理装置のホーム画面の表示例を示す図。
【図２２】ユーザ登録処理の一例を示すフローチャート。
【図２３Ａ】ユーザ登録画面の表示例を示す図。
【図２３Ｂ】端末登録画面の表示例を示す。
【図２４】端末登録処理の一例を示すフローチャート。
【図２５Ａ】携行品確認処理の一例を示すシーケンス図（前半）。
【図２５Ｂ】携行品確認処理の一例を示すシーケンス図（後半）。
【図２６】携行品忘れ通知画面の表示例を示す図。
【図２７】携行品忘れ通知画面の表示例を示す図。
【図２８】ユーザ判別処理の一例を示すシーケンス図。
【発明を実施するための形態】
【００１１】
以下、本発明の実施形態の例を、図面を用いて説明する。
【実施例１】
【００１２】
図１は、実施例１の携行品管理装置４００の使用形態を示す図である。携行品管理装置４００は、例えば玄関等に設置し、外出するユーザの携行品に備えられた無線タグ３００（３００−１〜３００−Ｎ）を読み取ることで各携行品を管理する。無線タグ３００は携行品に予め内蔵されたものに限らず、シールのように携行品に張り付けたものでもよい。
【００１３】
図２Ａは、携行品管理装置４００のハードウェア構成を示す図である。携行品管理装置４００は、主制御部４０１、システムバス４０２、ＲＯＭ（Read Only Memory）４０３、ＲＡＭ（Random Access Memory)４０４、ストレージ部４０５、操作部４０６、タグリーダ部（タグ情報読取部）４０７、表示部４０８、音声出力部４０９、計時部４１０、通信処理部４１１を備える。
【００１４】
主制御部４０１は、ＲＯＭ４０３に記憶されたプログラムに従って携行品管理装置４００全体を制御するマイクロプロセッサユニットである。システムバス４０２は、主制御部４０１と携行品管理装置４００内の各部との間でデータ送受信を行うためのデータ通信路である。
【００１５】
ＲＯＭ４０３は、携行品管理装置４００全体を制御するプログラムが格納されたメモリであり、例えばＥＥＰＲＯＭ（Electrically Erasable Programmable ROM）やフラッシュＲＯＭのような書き換え可能なＲＯＭが用いられる。ＲＯＭ４０３に格納されたプログラムを更新することにより、携行品管理装置４００のバージョンアップや機能拡張が可能である。
【００１６】
ＲＡＭ４０４は、ＲＯＭ４０３に記憶されたプログラムを実行する際に必要に応じてデータを一時的に保持する一時記憶として使用する。ストレージ部４０５は、携行品を管理するために使用する情報を記憶する。
【００１７】
ＲＯＭ４０３及びＲＡＭ４０４は、主制御部４０１と一体構成であっても良い。さらに、ＲＯＭ４０３に記憶されたプログラムをＲＡＭ４０４に展開して実行するようにしてもよい。
【００１８】
ストレージ部４０５は、携行品管理装置４００に電源が供給されていない状態であっても記憶している情報を保持する必要がある。したがって、例えばフラッシュＲＯＭやＳＳＤ（Solid State Drive）、ＨＤＤ（Hard Disc Drive）等のデバイスが用いられる。ストレージ部４０５の一部領域を以って、ＲＯＭ４０３の機能の全部または一部を代替しても良い。
【００１９】
操作部４０６は、携行品管理装置４００に対する操作指示の入力を行う指示入力部であり、本実施例では、電源キーや表示部４０８に重ねて配置したタッチパネルが相当する。表示部４０８には、携行品リストなど携行品管理に関する様々な情報を表示する。
【００２０】
タグリーダ部（タグ情報読取部）４０７は、携行品ごとに備えられたＲＦＩＤ（Radio Frequency Identification）等の無線タグ３００からタグ情報を読み取るものである。無線タグ３００に対する読み取り距離は、例えば１ｍ程度とするのが適当である。なお、タグリーダ部４０７を内蔵せず、外部に接続したタグリーダ機器にてタグ情報を読み取りその情報を取得する構成でもよい。
【００２１】
音声出力部４０９はスピーカであり、警告音などを携行品管理装置４００のユーザに報知する。
【００２２】
計時部４１０は、例えばユーザが設定した日時・時刻からの経過時間をＲＴＣ（Real Time Clock）回路を用いて計測を行い、日時・時刻及び曜日の情報を出力する。主制御部４０１は、計時部４１０から出力される情報を読み込むことで日時・時刻及び曜日に基づいた処理等を行う。
【００２３】
図２Ｂは、携行品管理装置４００のソフトウェア構成を示す図であり、図２ＡにおけるＲＯＭ４０３、ＲＡＭ４０４、及びストレージ部４０５の機能を示す。
【００２４】
主制御部４０１は、ＲＯＭ４０３に記憶されたプログラムを実行することにより、携行品管理実行部４０３ａを構成し、携行品管理装置４００を構成する各ブロックの制御を行う。ＲＡＭ４０４は、ＲＯＭ４０３に記憶されたプログラムを実行する際に必要なデータを一時的に保持する一時記憶領域（一時記憶部）４０４ａを構成する。ストレージ部４０５は、携行品管理実行部４０３ａが携行品管理のために使用する情報を記憶する管理情報記憶領域（管理情報記憶部）４０５ａを構成する。
【００２５】
図３は、携行品管理装置４００の外観とホーム画面４０８ａの表示例を示す図である。携行品管理装置４００の電源キー４０６ｋ押下により装置の電源がオンとなり、表示部４０８にはホーム画面４０８ａが表示される。ホーム画面４０８ａには、携行品管理で実行する処理に関連付けられたアイコンとして、ユーザ登録アイコン４０８ａ１、携行品登録Ａアイコン４０８ａ２、携行品確認アイコン４０８ａ３などが表示される。ユーザが何れかのアイコンを選択することにより、選択されたアイコンに関連付けられた処理が実行される。
【００２６】
なお、上記のアイコンの選択は、表示部４０８上の目的のアイコンが表示された位置を指でタップ操作すれば、タッチパネルでこれを検出することができる。あるいは、図示しない十字カーソルキー及び決定キー等の操作キーにより選択しても良い。
【００２７】
図４は、携行品管理装置４００の携行品管理実行部４０３ａが行う基本処理を示すフローチャートである。
【００２８】
携行品管理実行部４０３ａでは、まずホーム画面４０８ａを表示する（Ｓ８０１）。ユーザのタップ操作等によるホーム画面４０８ａに表示されたアイコンの選択入力の受け付けを行い（Ｓ８０２）、選択されたアイコンに従って分岐処理を行う（Ｓ８０３）。
【００２９】
ユーザ登録アイコン４０８ａ１の選択入力を受け付けた場合にはユーザ登録処理Ｓ８０４に分岐し、携行品登録Ａアイコン４０８ａ２の選択入力を受け付けた場合には携行品登録Ａ処理Ｓ８０５に分岐し、携行品確認アイコン４０８ａ３の選択入力を受け付けた場合には携行品確認処理Ｓ８０６に分岐する。選択入力がない場合、及びユーザ登録処理Ｓ８０４、携行品登録Ａ処理Ｓ８０５、携行品確認処理Ｓ８０６の各処理を実行後はＳ８０１に戻り、再度ホーム画面４０８ａを表示する。
【００３０】
以下、ユーザ登録処理Ｓ８０４、携行品登録Ａ処理Ｓ８０５、携行品確認処理Ｓ８０６の各処理について説明する。
【００３１】
図５は、ユーザ登録処理Ｓ８０４の一例を示すフローチャートである。また、処理中の表示画面を図６Ａ、図６Ｂで示す。
【００３２】
ユーザ登録処理Ｓ８０４では、まずストレージ部４０５の管理情報記憶領域４０５ａに記憶されたユーザの登録情報（携行品管理情報）を読み込み（Ｓ９００）、ユーザリスト画面４０８ｂを表示する（Ｓ９０１）。
図６Ａは、ユーザリスト画面４０８ｂの表示例を示す。本表示例のユーザリスト画面４０８ｂは、登録されたユーザ名を記述したユーザリスト４０８ｂ１、追加アイコン４０８ｂ２、終了アイコン４０８ｂ３で構成される。
【００３３】
続いて携行品管理実行部４０３ａは、ユーザのタップ操作等によるユーザリスト画面４０８ｂを構成するユーザリスト４０８ｂ１或いはアイコン４０８ｂ２，４０８ｂ３の選択入力の受け付けを行い（Ｓ９０２）、選択入力されたユーザ名或いはアイコンに従って分岐処理Ｓ９０３を実行する。Ｓ９０２において、終了アイコン４０８ｂ３の選択入力を受け付けた場合には、ユーザ登録処理を終了する。
【００３４】
Ｓ９０２において、ユーザリスト４０８ｂ１に表示されたユーザ名の選択入力を受け付けた場合には、選択されたユーザ名に対応してストレージ部の管理情報記憶領域４０５ａに記憶された登録情報の読み込みを行い（Ｓ９０４）、Ｓ９０５に進む。また、Ｓ９０２において、追加アイコン４０８ｂ２の選択入力を受け付けた場合には、Ｓ９０５に進む。
【００３５】
Ｓ９０５では、ユーザ登録画面４０８ｃを表示する。
図６Ｂは、ユーザ登録画面４０８ｃの表示例を示す。本表示例のユーザ登録画面４０８ｃは、ユーザ名入力枠４０８ｃ１、携行品登録Ｂアイコン４０８ｃ２、登録アイコン４０８ｃ３、戻るアイコン４０８ｃ４、携行品学習機能チェックボックス４０８ｃ５、携行品自動追加機能チェックボックス４０８ｃ６で構成される。なお、Ｓ９０２でユーザリストに表示されたユーザ名の選択入力を受け付けた場合には、Ｓ９０４で読み込んだユーザ名や携行品学習機能オン／オフ設定及び携行品自動追加機能オン／オフ設定の登録情報に基づいて、ユーザ名入力枠４０８ｃ１、携行品学習機能のチェックボックス４０８ｃ５、及び携行品自動追加機能のチェックボックス４０８ｃ６が表示される。
【００３６】
次に、ユーザ登録画面４０８ｃに表示されたアイコン、入力枠、チェックボックスに対して、ユーザのタップ操作等による選択入力の受け付けを行い（Ｓ９０６）、選択されたアイコン、入力枠、チェックボックスに従って分岐処理を行う（Ｓ９０７）。Ｓ９０６において、戻るアイコン４０８ｃ４の選択入力を受け付けた場合には、Ｓ９０１に戻りユーザリスト画面４０８ｂを表示する。
【００３７】
Ｓ９０６において、ユーザ名入力枠４０８ｃ１をタップ操作により選択すると、ユーザ名入力処理を行う（Ｓ９０８）。ユーザ名入力処理Ｓ９０８では、例えばソフトキーボードが表示され（図６Ｂでは図示せず）、ユーザ名を新規に登録、あるいは登録済みのユーザ名を変更・修正することができる。
【００３８】
Ｓ９０６において、携行品登録Ｂアイコン４０８ｃ２の選択入力を受け付けた場合には、Ｓ９０８にて入力されたユーザ名に対する携行品登録処理Ｂを実行する（Ｓ９０９）。携行品登録処理Ｂについては、図７で後述する。
【００３９】
Ｓ９０６において、携行品学習機能のチェックボックス４０８ｃ５をタップ操作により選択すると、携行品学習機能のオン／オフ設定切り替えを行う（Ｓ９１０）。携行品学習機能チェックボックス４０８ｃ５は、タップ操作する毎に携行品学習機能のオン／オフの設定状態が切り替わる。図６Ｂの表示例では、黒い四角はオンの設定状態を、白い四角はオフの設定状態を示す。
【００４０】
Ｓ９０６において、携行品自動追加機能チェックボックス４０８ｃ６をタップ操作により選択すると、携行品自動追加機能のオン／オフ設定切り替えを行う（Ｓ９１１）。携行品自動追加機能のチェックボックス４０８ｃ６は、タップ操作する毎に携行品学習機能のオン／オフの設定状態が切り替わる。図６Ｂの表示例では、黒い四角はオンの設定状態を、白い四角はオフの設定状態を示す。
【００４１】
Ｓ９０６において、登録アイコン４０８ｃ３の選択入力を受け付けた場合には、Ｓ９０８のユーザ名入力処理で入力されたユーザ名に対応して、Ｓ９０９の携行品登録Ｂ処理で登録された携行品の情報、Ｓ９１０の携行品学習機能オン／オフ設定、Ｓ９１１の携行品自動追加機能オン／オフ設定などの情報は、ストレージ部４０５の管理情報記憶領域４０５ａに携行品管理情報として記憶される（Ｓ９１２）。
【００４２】
Ｓ９０８〜Ｓ９１２の各処理の実行後はＳ９０５に戻り、再度ユーザ登録画面４０８ｃを表示する。
【００４３】
図７は、携行品登録処理Ｂ（図５のＳ９０９）の一例を示すフローチャートである。また、処理中の表示画面を図６Ｃ、図６Ｄで示す。
【００４４】
携行品登録処理Ｂ（Ｓ９０９）では、まずユーザ登録画面４０８ｃのユーザ名入力枠４０８ｃ１に表示されたユーザ名に対応した携行品管理情報をストレージ部の管理情報記憶領域４０５ａから読み込み（Ｓ１０００）、携行品リスト画面Ｂ（４０８ｄ）を表示する（Ｓ１００１）。
【００４５】
図６Ｃは、携行品リスト画面Ｂ（４０８ｄ）の表示例を示す。本表示例の携行品リスト画面Ｂは、ユーザ名４０８ｄ１、ユーザ名に対応して登録された携行品リスト４０８ｄ２、戻るアイコン４０８ｄ３、削除アイコン４０８ｄ４、修正アイコン４０８ｄ５、追加アイコン４０８ｄ６で構成される。ユーザ名４０８ｄ１には、ユーザ登録画面４０８ｃのユーザ名入力枠４０８ｃ１に入力されたユーザ名が表示される。携行品リスト４０８ｄ２は、管理番号、無線タグＩＤ情報、携行品の品名で構成される。
【００４６】
続いて携行品管理実行部４０３ａは、ユーザのタップ操作等による携行品リスト画面４０８ｄを構成する携行品リスト４０８ｄ２或いは各アイコンの選択入力の受け付けを行い（Ｓ１００２）、選択入力された携行品リスト或いはアイコンに従って分岐処理Ｓ１００３を実行する。Ｓ１００２において、戻るアイコン４０８ｄ３の選択入力を受け付けた場合には、携行品登録Ｂ処理Ｓ９０９を終了する。
【００４７】
Ｓ１００２において、携行品リスト４０８ｄ２に表示された携行品の選択入力を受け付けた場合には、選択入力を受け付けた携行品を削除或いは修正を行う対象として選択し、例えば表示の色を反転する等により選択されたことがわかるように表示する（Ｓ１００４）。ここでは、無線タグＩＤ情報が“ｘｘｘｘ９”の携行品が削除或いは修正を行う対象として選択された例を示している。その後、Ｓ１００１に戻る。
【００４８】
Ｓ１００２において、削除アイコン４０８ｄ４の選択入力を受け付けた場合には、前記Ｓ１００４で選択された携行品に対し、ストレージ部の管理情報記憶領域４０５ａから情報を削除する（Ｓ１００５）。その後、Ｓ１００１に戻る。
【００４９】
Ｓ１００２において、修正アイコン４０８ｄ５の選択入力を受け付けた場合には、前記Ｓ１００４で選択された携行品に対し、ストレージ部の管理情報記憶領域４０５ａから携行品管理情報を読み込み（Ｓ１００６）、Ｓ１００７に進む。また、Ｓ１００２において、追加アイコン４０８ｄ６の選択入力を受け付けた場合には、Ｓ１００７に進む。
【００５０】
Ｓ１００７では、携行品登録画面４０８ｅを表示する。
図６Ｄは、携行品登録画面Ｂ（４０８ｅ）の表示例を示す。本表示例の携行品登録画面Ｂは、管理番号４０８ｅ１、無線タグＩＤ情報４０８ｅ２、携行品品名入力枠４０８ｅ３、ユーザ名入力枠４０８ｅ４、携行条件設定チェックボックス４０８ｅ５、タグ情報読取アイコン４０８ｅ６、登録アイコン４０８ｅ７、戻るアイコン４０８ｅ８で構成される。ユーザ名入力枠４０８ｅ４には携行品リスト画面Ｂ（４０８ｄ）のユーザ名４０８ｄ１に表示されたユーザ名が表示される。携行条件設定チェックボックス４０８ｅ５には、曜日毎及びイベント（ここでは出張時）毎の設定が可能となっている。なお、Ｓ１００２で修正アイコン４０８ｄ５の選択入力を受け付けた場合には、Ｓ１００６で読み込んだ携行品登録情報に基づいて管理番号４０８ｅ１、無線タグＩＤ情報４０８ｅ２、携行品品名入力枠４０８ｅ３、ユーザ名入力枠４０８ｅ４、携行条件設定チェックボックス４０８ｅ５、の登録情報が表示される。
【００５１】
次に、ユーザのタップ操作等による携行品登録画面Ｂに表示されたアイコン、入力枠、チェックボックスの選択入力の受け付けを行い（Ｓ１００８）、選択されたアイコン、入力枠、チェックボックスに従って分岐処理を行う（Ｓ１００９）。なお、この選択入力及び分岐処理Ｓ１００８，Ｓ１００９では、アイコン、入力枠、チェックボックスの選択入力を組み合わせた処理が可能となっている。Ｓ１００８において、戻るアイコン４０８ｅ８の選択入力を受け付けた場合には、Ｓ１００１に戻り、携行品リスト画面４０８ｄを表示する。
【００５２】
Ｓ１００８において、携行品品名入力枠４０８ｅ３をタップ操作により選択すると、携行品品名入力処理を行う（Ｓ１０１０）。携行品品名入力処理Ｓ１０１０では、例えばソフトキーボードが表示され（図６Ｄでは図示せず）、品名を入力、修正することができる。
【００５３】
Ｓ１００８において、ユーザ名入力枠４０８ｅ４をタップ操作により選択すると、ユーザ名入力処理を行う（Ｓ１０１１）。ユーザ名入力処理Ｓ１０１１では、例えばソフトキーボードが表示され（図６Ｄでは図示せず）、ユーザ名を入力、修正することができる。
【００５４】
Ｓ１００８において、携行条件設定チェックボックス４０８ｅ５をタップ操作により選択すると、携行条件として携行する曜日と出張時に携行するか否か指定する（Ｓ１０１２）。なお、学校と塾のように外出する時間帯により携行品が変わる場合に対応するために、携行条件として携行する曜日だけでなく、時間帯等の他の携行条件を設定してもよい。
【００５５】
Ｓ１００８において、タグ情報読取アイコン４０８ｅ６をタップ操作により選択すると、タグリーダ部４０７により携行品管理装置４００の周辺に存在する携行品の無線タグ３００のタグ情報の読み取りを行う（Ｓ１０１３）。
【００５６】
Ｓ１００８において、登録アイコン４０８ｅ７の選択入力を受け付けた場合には、携行品登録画面Ｂに表示された管理番号４０８ｅ１、無線タグＩＤ情報４０８ｅ２、携行品品名入力枠４０８ｅ３、ユーザ名入力枠４０８ｅ４、携行条件設定チェックボックス４０８ｅ５の情報を、ストレージ部４０５の管理情報記憶領域４０５ａに携行品管理情報として記憶する（Ｓ１０１４）。
【００５７】
Ｓ１０１０からＳ１０１４の各処理の実行後はＳ１００７に戻り、再度携行品登録画面Ｂ（４０８ｅ）を表示する。この携行品登録画面Ｂには、Ｓ１０１０〜Ｓ１０１２で入力した携行品名、ユーザ名、携行条件や、Ｓ１０１３で読み取ったタグ情報が表示される。
以上の処理により、選択したユーザの携行品の追加、修正、削除等の処理が行われる。
【００５８】
図８は、図４の携行品登録処理Ａ（Ｓ８０５）の一例を示すフローチャートである。携行品登録処理Ａは、前記図７の携行品登録処理Ｂ（Ｓ９０９）と類似しているが、ユーザの登録処理とは独立しており、登録されている全てのユーザについて携行品登録を行うものである。図７と同一の処理については同じ符号を付し、共通する処理については説明を省略する。
【００５９】
携行品登録処理Ａ（Ｓ８０５）では、まずストレージ部の管理情報記憶領域４０５ａから登録されている全てのユーザの携行品の携行品管理情報を読み込み（Ｓ１０２０）、携行品リスト画面Ａ（４０８ｆ）を表示する（Ｓ１０２１）。
【００６０】
図９に携行品リスト画面Ａ（４０８ｆ）の表示例を示す。携行品リスト画面Ａの表示項目は図６Ｃの携行品リスト画面Ｂ（４０８ｄ）の表示項目に対応しており、登録されている携行品リスト４０８ｆ１、戻るアイコン４０８ｆ２、削除アイコン４０８ｆ３、修正アイコン４０８ｆ４、追加アイコン４０８ｆ５で構成される。なお、携行品リスト４０８ｆ１については、管理番号、無線タグＩＤ情報、携行品品名の他、ユーザ名を追加して構成されている。
【００６１】
続いて、携行品管理実行部４０３ａは、ユーザのタップ操作等による携行品リスト画面４０８ｆを構成する携行品リスト或いはアイコンの選択入力の受け付けを行い（Ｓ１００２）、選択入力された携行品リスト或いはアイコンに従って、図７の携行品登録処理ＢのＳ１００３からＳ１０１４と同様の処理を行う。すなわちユーザは、図６Ｄの携行品登録画面Ｂ（４０８ｅ）に対して選択入力を行う。
【００６２】
以上の処理により、全てのユーザを対象として携行品の追加、修正、削除等の処理が行われる。
【００６３】
図１０は、図４の携行品確認処理Ｓ８０６の一例を示すフローチャートである。携行品確認処理では、携行忘れ品の判定と通知、また携行必要品の自動追加登録を行う。
【００６４】
まず計時部４１０から日時情報を取得し（Ｓ１１００）、ストレージ部の管理情報記憶領域４０５ａから携行品管理情報の読み込みを行う（Ｓ１１０１）。
【００６５】
図１１に携行品管理情報４０５０の例を示す。携行品管理情報４０５０として、管理番号１１ａ、無線タグＩＤ１１ｂ、ユーザ名１１ｃ、携行品名１１ｄ、携行条件設定１１ｅが記憶されている。携行条件設定１１ｅでは、曜日毎の、あるいは出張時の携行要否の区別がなされている。すなわち、設定フラグが“１”になっている携行品は当該曜日、あるいは出張時に携行が必要であり、設定フラグが“０”になっている携行品は携行が不要であることを意味する。以下、携行条件として曜日毎の携行要否を中心に説明するが、イベント（出張時等）毎の携行要否についても同様である。
【００６６】
次に、タグリーダ部４０７により、ユーザが携行している全ての携行品について無線タグ３００のタグ情報の読み取りを行い（Ｓ１１０２）、読み取った無線タグの情報と携行品管理情報４０５０に基づいてユーザ判別処理を行う（Ｓ１１０３）。ユーザ判別処理は当該携行品からユーザを判別するものであるが、当該携行品が複数のユーザで共用されている場合にも対応する。ユーザ判別処理の詳細については、図１４で後述する。
【００６７】
ユーザを判別すると、当該ユーザの携行品管理情報４０５０を参照し、Ｓ１１００で取得した日時情報の曜日の携行条件設定がフラグ“１”（携行が必要）とされている携行品と、Ｓ１１０２で読み取った無線タグの携行品を比較する。そして、フラグ“１”の携行品の中で読み取った無線タグの携行品に含まれていないものを携行忘れ品と判定する（Ｓ１１０４）。携行品忘れの有無をユーザに通知するために、携行品リスト画面Ｃ（４０８ｇ）を表示する（Ｓ１１０５）。
【００６８】
図１２に携行品リスト画面Ｃ（４０８ｇ）の表示例を示す。携行品リスト画面Ｃは、判別したユーザ名４０８ｇ１、Ｓ１１００で取得した日時情報の曜日において判別したユーザが携行する必要がある携行品のリスト４０８ｇ２、終了アイコン４０８ｇ３で構成される。携行品リスト４０８ｇ２は管理番号、無線タグＩＤ情報、携行品品名で構成されている。そして、Ｓ１１０４において携行忘れ品として判定された携行品について、例えば表示の色を反転する等により携行忘れ品を他と区別して表示する。ここでは、ＩＤが“ｘｘｘｘ４”、品名が“ＴＡＲＯ＿定期入れ”が携行忘れ品として表示されている。
【００６９】
なお、出張時の携行忘れ品の判定・表示については、図１２の画面Ｃ（４０８ｇ）内に「出張時」のアイコンを追加して、ユーザがこれを選択することで出張時の携行忘れ判定に切り替わるようにすればよい。また、本表示例では携行忘れ品以外の携行品についても表示しているが、携行忘れ品のみを表示するようにしてもよいし、携行忘れ品についてはその個数を表示するようにしてもよい。
【００７０】
続いて、携行品管理実行部４０３ａは、ユーザのタップ操作等による入力の受け付けを行い（Ｓ１１０６）、終了アイコ４０８ｇ３の選択入力を受け付けたか否かによる分岐処理Ｓ１１０７を実行する。終了アイコ４０８ｇ３の選択入力を受け付けていない場合（Ｎｏ）にはＳ１１０６に戻り、再度入力の受け付けを行う。終了アイコ４０８ｇ３の選択入力を受け付けた場合（Ｙｅｓ）には、Ｓ１１０８に進む。
【００７１】
Ｓ１１０８では、ユーザの判別結果と携行品の確認結果に基づいて、携行品確認ログ情報を作成してストレージ部の管理情報記憶領域４０５ａに記憶する。管理情報記憶領域４０５ａには、確認動作を行う毎にログ情報が作成され、各ユーザについて日付毎にログ情報が蓄積される。
【００７２】
図１３に携行品確認ログ情報４０５１の例を示す。（ａ）は、ユーザ毎の確認結果で、確認した日付、曜日、確認した時刻、Ｓ１１０２で読み取った無線タグＩＤ、及び出張時か否か（出張時＝１）の情報を記録したものである。（ｂ）は、ユーザ毎に曜日毎及び出張日に携行品確認処理を行った回数（携行品管理装置４００による確認動作を行った回数）を記録したものである。（ｃ）は、携行品の曜日毎及び出張日の携行回数（当該携行品に付された無線タグＩＤの検出回数）を記録したものである。
【００７３】
次にＳ１１０９では、管理情報更新処理を実行する。管理情報更新処理では、未登録と判定した携行品を自動登録し、また学習機能により携行必要な携行品を自動設定する。管理情報更新処理は図１６で後述する。これで携行品確認処理Ｓ８０６を終了し、図４のＳ８０１に戻ってホーム画面４０８ａを表示する。
【００７４】
このように本実施例の携行品確認処理によれば、携行が必要と設定されている携行品をユーザが携行していない場合には、携行忘れ品と判定してユーザに通知することができる。この携行条件は、曜日毎に、また出張時に対応して設定されているので、曜日や出張等の条件で持ち物が変わる場合にも対応でき、使い勝手が向上する。
【００７５】
図１４は、ユーザ判別処理Ｓ１１０３の一例を示すフローチャートである。ここでは、携行品確認を行っているユーザを判別するとともに、未登録のユーザの場合にはユーザ登録を行う。
【００７６】
まず、読み取った無線タグの中に登録済の無線タグが含まれるか否かによる分岐処理を行う（Ｓ１２０１）。読み取った無線タグの中に登録済の無線タグが含まれる場合（Ｙｅｓ）には、読み取った無線タグに複数のユーザの無線タグが含まれているか否かによる分岐処理を行う（Ｓ１２０３）。
【００７７】
読み取った無線タグの中に一人のユーザの無線タグのみが含まれる場合（Ｎｏ）には、携行品管理装置４００で携行品確認を行っているのは読み取った無線タグを登録しているユーザと判別する（Ｓ１２０４）。なお、一人のユーザの無線タグのみが含まれる場合において、本人確認のためユーザ確認画面（後述の図１５に準じた画面）を表示してこれを承認するようにしてもよい。
【００７８】
読み取った無線タグの中に複数のユーザの無線タグが含まれる場合（Ｙｅｓ）には、携行品確認を行っているユーザを判別するために、ユーザ選択画面４０８ｈを表示する（Ｓ１２０５）。
【００７９】
図１５にユーザ選択画面４０８ｈの表示例を示す。ユーザ選択画面４０８ｈには、読み取った無線タグに対応して登録されている複数のユーザ名のリスト４０８ｈ１が表示される。これに対し携行品確認を行っているユーザから、タップ操作等により表示されたユーザリストに対する選択入力の受け付けを行い（Ｓ１２０６）、選択されたユーザ名のユーザが携行品管理装置４００で携行品確認を行っていると判別する（Ｓ１２０７）。
【００８０】
Ｓ１２０１にて、読み取った無線タグの中に登録済の無線タグが含まれない場合（Ｎｏ）にはユーザ登録処理を行う（Ｓ１２０２）。ユーザ登録処理Ｓ１２０２では、図５に示したユーザ登録処理Ｓ８０４と同じ処理を行うものとする。これにより、図６Ａに示すようなユーザリスト画面４０８ｂを表示し、ユーザが登録されていればリストに表示されたユーザ名を選択し、図６Ｂのユーザ登録画面４０８ｃで携行品登録Ｂアイコン４０８ｃ２を選択して携行品の登録を行う。ユーザが登録されていなければ、図６Ａのユーザリスト画面４０８ｂで追加アイコン４０８ｂ２を選択し、図６Ｂのユーザ登録画面４０８ｃでユーザ名等の入力及び携行品登録Ｂアイコン４０８ｃ２を選択して携行品の登録を行う。
以上の処理により、携行品確認を行っているユーザを判別することができる。
【００８１】
なお、以上の実施例では複数のユーザの携行品に対応した無線タグが読み取られた場合にユーザを選択するようにしたが、読み取った無線タグに対応した複数のユーザについて携行品忘れ判定処理Ｓ１１０４を行い、ユーザ毎に携行品リスト画面を表示するようにしてもよい。また、複数のユーザの携行品に対応した無線タグが読み取られた場合に、無線タグを読み取った時刻と携行品確認ログ情報として記憶された携行品確認時刻が近いユーザを選択するようにしてもよい。
【００８２】
図１６は、管理情報更新処理Ｓ１１０９の一例を示すフローチャートである。管理情報更新処理では、未登録の携行品を検出した場合は新規の携行品として自動的に追加登録し、携行頻度の高い携行品については携行必要な携行品として自動的に携行条件を設定する。
【００８３】
まずユーザ登録の設定（図６Ｂ）において、携行品自動追加機能の設定４０８ｃ６がオンかオフかによる分岐処理を行う（Ｓ１３０１）。携行品自動追加機能の設定がオフの場合（Ｎｏ）にはＳ１３０６に進む。携行品自動追加機能の設定がオンの場合（Ｙｅｓ）には、読み取った無線タグの順番を示すパラメータＩを１から読み取った無線タグの個数Ｎまでの間で、ループ処理（Ｓ１３０２〜Ｓ１３０５）をＮ回繰り返して行う。
【００８４】
Ｓ１３０３では、Ｉ番目に読み取った無線タグＩＤが登録済であるか否かにより分岐処理を行う。未登録の場合（Ｎｏ）には、Ｉ番目に読み取った未登録の無線タグを、ユーザ判別処理Ｓ１１０３で判別したユーザの携行品の無線タグとして追加登録する（Ｓ１３０４）。登録済の場合（Ｙｅｓ）にはループ処理の先頭に戻り、次のパラメータについてＳ１３０３以降の処理を行う。
【００８５】
次にＳ１３０６では、ユーザ登録の設定（図６Ｂ）において、学習機能の設定４０８ｃ５がオンかオフかにより分岐処理を行う。学習機能の設定がオフの場合（Ｎｏ）にはＳ１３１５に進む。学習機能の設定がオンの場合（Ｙｅｓ）には、パラメータＪを１から当該ユーザに対し登録された携行品の個数Ｍまでの間で、ループ処理（Ｓ１３０７〜Ｓ１３１４）をＭ回繰り返して行う。
【００８６】
Ｓ１３０８では、Ｊ番目の携行品について、当該曜日において所定の条件（携行必須条件）を満足するか否かの判定処理を行う。この判定では図１３の携行品確認ログ情報４０５１を参照する。携行必須条件の例として、当該曜日に携行品の確認を行った回数が所定の回数以上（例として５回）であり、かつ当該曜日にＪ番目の携行品を携行した確率が所定以上（例として８０％）とした。携行した確率は、図１３（ｂ）の携行品ログ情報の当該曜日に携行品確認処理を行った回数に対して、図１３（ｃ）の当該曜日に当該携行品の無線タグを読み取った回数の割合から算出する。
【００８７】
判定の結果、携行必須条件を満足している場合（Ｙｅｓ）には、Ｊ番目の携行品に対する当該曜日の携行条件フラグを“１”に設定する（Ｓ１３０９）。携行必須条件を満足しない場合（Ｎｏ）には、Ｊ番目の携行品に対する当該曜日の携行条件フラグを“０”に設定する（Ｓ１３１０）。
【００８８】
Ｓ１３１１では、出張日において上記の携行必須条件を満足するか否かの判定処理を行う。判定の結果、携行必須条件を満足している場合（Ｙｅｓ）には、出張日の携行条件フラグを“１”に設定する（Ｓ１３１２）。携行必須条件を満足しない場合（Ｎｏ）には、出張日の携行条件フラグを“０”に設定する（Ｓ１３１３）。
【００８９】
Ｓ１３０７からＳ１３１４のループ処理を行った後、Ｓ１３１５では、ユーザ判別処理Ｓ１１０３で判別したユーザの携行品管理情報を更新し、ストレージ部の管理情報記憶領域４０５ａに記憶する。
【００９０】
以上の管理情報更新処理により、未登録の無線タグの読み取りを行った場合には、ユーザ判別処理Ｓ１１０３で判定したユーザの携行品として自動的に登録することができ、新規の携行品の登録を簡便に行うことが可能となる。また、予め当該曜日や出張時に携行すべきものとして携行条件を設定していない携行品についても、学習機能により携行必須条件を満足するかどうかを判定し、自動的に携行すべきものとして携行条件を設定することができる。
【００９１】
実施例１によれば、携行すべき持ち物は、曜日毎に、またイベント毎に対応して設定されているので、曜日やイベント等の条件で持ち物が変わる場合にも対応できる。また、携行品の確認結果をもとに、携行頻度の高いものを自動的に携行すべき持ち物として登録することができ、使い勝手が向上する。
【実施例２】
【００９２】
実施例２では、実施例１で説明した携行品管理装置にユーザ情報を保持する情報端末装置を接続して、連携して携行品を管理するシステムについて述べる。これにより、携行品管理機能をより拡充させることができる。
【００９３】
図１７は、実施例２に係る携行品管理システムの使用形態を示す構成図である。携行品管理システムは、携行品管理装置４００に情報端末装置１００を接続して通信し、連携して携行品を管理するものである。そのための通信手段として、インターネット等の広域公衆ネットワーク２０１及びその無線通信用アクセスポイント２０２、移動体電話通信網の基地局２０３、及び移動体電話通信サーバ２０４を利用する。これにより、携行品管理装置４００から離れた場所に情報端末装置１００が存在しても、ユーザの情報や携行品の情報を送受信することで、携行品忘れの判定機能や通知機能を拡充させるものである。例えば、携行品管理装置４００を玄関に設置して家族全員の携行品を管理し、携行品忘れを情報端末装置１００により家族の他のメンバーに知らせることができる。
【００９４】
図１８Ａは、携行品管理装置４００のハードウェア構成を示す図である。実施例１（図２Ａ）と同一機能部分については同じ番号を付し、共通する点については重複する説明を省略する。図２Ａと異なる点は、通信処理部４１１として、ＬＡＮ（Local Area Network）通信部４１１ａ、Ｂｌｕｅｔｏｏｔｈ（登録商標）通信部４１１ｂを追加したことである。ＬＡＮ通信部４１１ａは、インターネット２０１の無線通信用アクセスポイント２０２と有線通信、或いは無線通信により接続して、情報端末装置１００との間でデータの送受信を行う。Ｂｌｕｅｔｏｏｔｈ通信部４１１ｂは、情報端末装置１００と無線通信を行う。ＬＡＮ通信部４１１ａ、Ｂｌｕｅｔｏｏｔｈ通信部４１１ｂは、それぞれ符号回路や復号回路、アンテナ等を備えるものとする。更に、ＮＦＣ（Near Field Communication）通信部、赤外線通信部等を備えていても良い。
【００９５】
図１８Ｂは、携行品管理装置４００のソフトウェア構成を示す図であり、図１８ＡにおけるＲＯＭ４０３、ＲＡＭ４０４、及びストレージ部４０５の機能を示す。実施例１（図２Ｂ）と同一機能部分については同じ番号を付し、重複する説明を省略する。図２Ｂと異なる点は、ストレージ部４０５には、携行品管理実行部４０３ａが携行品管理のために使用する情報を記憶する管理情報記憶領域（管理情報記憶部）４０５ａの他に、スケジュール情報記憶領域（スケジュール情報記憶部）４０５ｂを有することである。
【００９６】
図１９Ａは、情報端末装置１００のハードウェア構成を示す図である。情報端末装置１００は、主制御部１０１、システムバス１０２、ＲＯＭ１０３、ＲＡＭ１０４、ストレージ部１０５、操作部１０６、拡張インタフェース部１０８、センサ部１１０、映像処理部１２０、音声処理部１３０、通信処理部１４０、で構成される。情報端末装置１００としては、携帯電話やスマートホン、ＰＤＡ（Personal Digital Assistant）やタブレット型のＰＣ（Personal Computer）等の携帯用デジタル機器を使用できる。
【００９７】
主制御部１０１は、所定のプログラムに従って情報端末装置１００全体を制御するマイクロプロセッサユニットである。システムバス１０２は主制御部１０１と情報端末装置１００内の各部との間でデータ送受信を行うためのデータ通信路である。
【００９８】
ＲＯＭ１０３は、オペレーティングシステムなどの基本動作プログラムやその他のアプリケーションプログラムが格納されたメモリであり、例えばＥＥＰＲＯＭやフラッシュＲＯＭのような書き換え可能なＲＯＭが用いられる。ＲＯＭ１０３に格納されたプログラムを更新することにより、基本動作プログラムやその他のアプリケーションプログラムのバージョンアップや機能拡張が可能であるものとする。
【００９９】
ＲＡＭ１０４は基本動作プログラムやその他のアプリケーションプログラム実行時のワークエリアとなる。具体的には、例えばＲＯＭ１０３に格納された基本動作プログラム１０３ａはＲＡＭ１０４に展開され、更に主制御部１０１が前記展開された基本動作プログラムを実行することにより、基本動作実行部１０４ａを構成する。以下では、説明を簡単にするために、主制御部１０１がＲＯＭ１０３に格納された基本動作プログラム１０３ａをＲＡＭ１０４に展開して実行することにより各部の制御を行う処理を、基本動作実行部１０４ａが各部の制御を行うものとして記述する。なお、その他のアプリケーションプログラムに関しても同様の記述を行うものとする。
【０１００】
ＲＯＭ１０３及びＲＡＭ１０４は主制御部１０１と一体構成であっても良い。また、ＲＯＭ１０３は、図１９Ａに示したような独立構成とはせず、ストレージ部１０５内の一部記憶領域を使用しても良い。また、ＲＡＭ１０４は、各種アプリケーションプログラム実行時に、必要に応じてデータを一時的に保持する一時記憶領域を備えるものとする。
【０１０１】
ストレージ部１０５は、情報端末装置１００の各種機能を実現するためのプログラムやプログラムの動作設定値等の情報を記憶する。
【０１０２】
ストレージ部１０５の一部領域を以ってＲＯＭ１０３の機能の全部または一部を代替しても良い。また、ストレージ部１０５は、情報端末装置１００に電源が供給されていない状態であっても記憶している情報を保持する必要がある。したがって、例えばフラッシュＲＯＭやＳＳＤ、ＨＤＤ等のデバイスが用いられる。
【０１０３】
操作部１０６は、情報端末装置１００に対する操作指示の入力を行う指示入力部であり、本実施例では、表示部１２１に重ねて配置したタッチパネル及びボタンスイッチを並べた操作キーで構成されるものとする。何れか一方のみであっても良い。
【０１０４】
拡張インタフェース部１０８は、情報端末装置１００の機能を拡張するためのインタフェース群であり、本実施例では、ＵＳＢ（Universal Serial Bus）インタフェース、メモリインタフェース等で構成されるものとする。
【０１０５】
センサ部１１０は、情報端末装置１００の状態を検出するためのセンサ群であり、本実施例では、ＧＰＳ（Global Positioning System）受信部１１１、加速度センサ１１２、ジャイロセンサ１１３、地磁気センサ１１４、照度センサ１１５、近接センサ１１６、で構成される。これらのセンサ群により、情報端末装置１００の位置、動き、傾き、方角、及び周囲の明るさ、周囲物の近接状況、等を検出することが可能となる。その他のセンサを更に備えていても良い。
【０１０６】
映像処理部１２０は、表示部１２１、映像信号処理部１２２、第一映像入力部１２３、第二映像入力部１２４、で構成される。表示部１２１は、例えば液晶パネル等の表示デバイスであり、映像信号処理部１２２で処理した映像データを情報端末装置１００の使用者に提供する。映像信号処理部１２２は図示を省略したビデオＲＡＭを備え、前記ビデオＲＡＭに入力された映像データに基づいて表示部１２１が駆動される。また、映像信号処理部１２２は、必要に応じてフォーマット変換、メニューやその他のＯＳＤ（On Screen Display）信号の重畳処理等を行う機能を有するものとする。第一映像入力部１２３及び第二映像入力部１２４は、ＣＣＤ（Charge Coupled Device）やＣＭＯＳ（Complementary Metal Oxide Semiconductor）センサ等の電子デバイスを用いてレンズから入力した光を電気信号に変換することにより、周囲や対象物の映像データを入力するカメラユニットである。
【０１０７】
音声処理部１３０は、音声出力部１３１、音声信号処理部１３２、音声入力部１３３、で構成される。音声出力部１３１はスピーカであり、音声信号処理部１３２で処理した音声信号を情報端末装置１００の使用者に提供する。音声入力部１３３はマイクであり、使用者の声などを音声データに変換して入力する。
【０１０８】
通信処理部１４０は、ＬＡＮ通信部１４１、移動体電話網通信部１４２、Ｂｌｕｅｔｏｏｔｈ通信部１４３、で構成される。ＬＡＮ通信部１４１はアクセスポイント２００を介してインターネット２０１と接続され、インターネット２００上の各サーバ装置とデータ送受信を行う。アクセスポイント２００との接続はＷｉ−Ｆｉ等の無線接続で行われるものとする。移動体電話網通信部１４２は移動体電話通信網の基地局２０３との無線通信により、電話通信（通話）及びデータの送受信を行う。移動体電話通信サーバ２０４は情報端末装置１００の移動体電話通信網を介した電話通信（通話）及びデータ送受信を管理し、情報端末装置１００とインターネット２００上の各サーバ装置との通信によるデータの送受信を可能とする。情報端末装置１００と基地局２０３との通信は、Ｗ−ＣＤＭＡ（Wideband Code Division Multiple Access）（登録商標）方式やＧＳＭ（Global System for Mobile communications）（登録商標）方式、ＬＴＥ（Long Term Evolution）方式、或いはその他の通信方式によって行われるものであって良い。Ｂｌｕｅｔｏｏｔｈ通信部１４３は携行品管理装置４００と無線通信を行い、スケジュール情報、通知等のデータの送受信に用いられる。ＬＡＮ通信部１４１、移動体電話網通信部１４２、Ｂｌｕｅｔｏｏｔｈ通信部１４３は、それぞれ符号回路や復号回路、アンテナ等を備えるものとする。更に、赤外線通信部等を備えていても良い。
【０１０９】
図１９Ｂは、情報端末装置１００のソフトウェア構成を示す図であり、ＲＯＭ１０３、ＲＡＭ１０４、及びストレージ部１０５の機能を示す。情報端末装置１００の動作は、主として、ＲＯＭ１０３に記憶された基本動作プログラム１０３ａ、ストレージ部１０５に記憶された通知管理プログラム１０５ａ、スケジュール管理プログラム１０５ｂがＲＡＭ１０４に展開されて、主制御部１０１により実行される。これによりＲＡＭ１０４には、基本動作実行部１０４ａ、通知管理実行部１０４ｂ、及びスケジュール管理実行部１０４ｃが構成されて、各種動作が制御される。また、ストレージ部１０５のスケジュール情報記憶領域（スケジュール情報記憶部）１０５ｄ１には、携行品管理装置４００にて管理対象となるユーザについてのスケジュール情報が記憶されている。具体的には、情報端末装置１００の所持者本人のスケジュール情報（例えば、出張日時や宿泊場所等のイベント情報）を有するが、さらに、他人（例えば、家族や子供）のスケジュール情報（例えば、旅行やショッピング等のイベント情報）を含めても良い。
【０１１０】
図２０は、携行品管理装置４００の携行品管理実行部４０３ａが行う基本処理を示すフローチャートである。実施例１（図４）と同一処理部分には同じ符号を付している。
【０１１１】
携行品管理実行部４０３ａでは、まずホーム画面４０８ｉを表示する（Ｓ８０１）。
図２１は、携行品管理装置４００のホーム画面４０８ｉの表示例を示す図である。ホーム画面４０８ｉには、携行品管理で実行する処理に関連付けられたアイコンとして、ユーザ登録アイコン４０８ｉ１、携行品登録Ａアイコン４０８ｉ２が表示される。実施例１（図３）と比較すると、携行品確認アイコン４０８ａ３が削除されている。
【０１１２】
ユーザのタップ操作等によるホーム画面４０８ｉに表示されたアイコンの選択入力の受け付けを行い（Ｓ８０２）、選択されたアイコンに従って分岐処理を行う（Ｓ８０３）。ユーザ登録アイコン４０８ｉ１の選択入力を受け付けた場合にはユーザ登録処理Ｓ８０４に分岐し、携行品登録Ａアイコン４０８ｉ２の選択入力を受け付けた場合には携行品登録Ａ処理Ｓ８０５に分岐し、選択入力がない場合には、携行品確認処理Ｓ８０６に分岐する。このうち携行品登録Ａ処理Ｓ８０５は前記図８と同様であるが、ユーザ登録処理Ｓ８０４と携行品確認処理Ｓ８０６は情報端末装置１００と連携した処理を行う。ユーザ登録処理Ｓ８０４、携行品登録Ａ処理Ｓ８０５、携行品確認処理Ｓ８０６の各処理の実行後はＳ８０１に戻り、再度ホーム画面４０８ｉを表示する。
【０１１３】
以下、ユーザ登録処理Ｓ８０４と携行品確認処理Ｓ８０６について説明する。
図２２は、ユーザ登録処理Ｓ８０４の一例を示すフローチャートである。実施例１の図５と対応し、同一処理については同じ符号を付し、新たな処理について説明する。
【０１１４】
Ｓ９０５ではユーザ登録画面４０８ｃを表示する。
図２３Ａには、ユーザ登録画面４０８ｃの表示例を示す。図６Ｂにおけるユーザ登録画面４０８ｃと比較すると、端末登録アイコン４０８ｃ７が追加されている。
【０１１５】
Ｓ９０６において、端末登録アイコン４０８ｃ７をタップ操作により選択すると、端末登録処理を実行する（Ｓ９１３）。これは、携行品管理のために連携する情報端末装置を登録するものである。
【０１１６】
図２４は、端末登録処理Ｓ９１３の一例を示すフローチャートである。まず、端末登録画面４０８ｊを表示部４０８に表示する（Ｓ１４０１）。
図２３Ｂには、端末登録画面４０８ｊの表示例を示す。端末登録画面４０８ｊは、検知された情報端末装置のリスト４０８ｊ１、端末探索アイコン４０８ｊ２、ペアリングアイコン４０８ｊ３、登録アイコン４０８ｊ４、戻るアイコン４０８ｊ５、スケジュール連携チェックボックス４０８ｊ６、通知連携チェックボックス４０８ｊ７で構成されている。
【０１１７】
続いて、携行品管理実行部４０３ａは、ユーザのタップ操作等による端末登録画面４０８ｊを構成する端末リスト或いはアイコンの選択入力の受け付けを行い（Ｓ１４０２）、選択入力された端末リスト或いはアイコンに従って分岐処理を行う（Ｓ１４０３）。
【０１１８】
Ｓ１４０２において、端末リスト４０８ｊ１に表示された情報端末装置の選択入力を受け付けた場合には、選択入力を受け付けた情報端末装置を携行品管理装置４００と連携する対象として選択し、例えば表示の色を反転する等により選択されたことが分かるように表示する（Ｓ１４０４）。図２３Ｂでは、端末１“Ｓｐｈｏｎｅ＿ＡＡＡ”が連携する対象として選択された例を示している。Ｓ１４０２において、端末探索アイコン４０８ｊ２の選択入力を受け付けた場合には、Ｂｌｕｅｔｏｏｔｈ通信により携行品管理装置４００の周辺に存在する情報端末装置を探索し、検知した情報端末装置の情報を取得する（Ｓ１４０５）。取得した情報端末装置の情報はＳ１４０１において、端末登録画面４０８ｊの端末リスト４０８ｊ１に表示される。
【０１１９】
Ｓ１４０２において、ペアリングアイコン４０８ｊ３の選択入力を受け付けた場合には、Ｓ１４０４で連携する対象として選択された情報端末装置と、例えば認証番号を入力する等の既知の方法によりペアリング処理を行う（Ｓ１４０６）。
【０１２０】
Ｓ１４０２において、スケジュール連携チェックボックス４０８ｊ６をタップ操作により選択すると、ペアリングした情報端末装置１００とのスケジュール情報連携のオン／オフ設定切り替えを行う（Ｓ１４０７）。Ｓ１４０２において、通知連携チェックボックス４０８ｊ７をタップ操作により選択すると、ペアリングした情報端末装置１００との携行品忘れ等の通知連携のオン／オフ設定切り替えを行う（Ｓ１４０８）。
【０１２１】
Ｓ１４０２において、登録アイコン４０８ｊ４の選択入力を受け付けた場合には、端末登録画面４０８ｊに表示されペアリングした情報端末装置の情報や、スケジュール連携等の設定情報を、ストレージ部４０５の携行品管理情報記憶領域４０５ａに携行品管理情報として記憶する（Ｓ１４０９）。Ｓ１４０４からＳ１４０９の各処理の実行後はＳ１４０１に戻り、再度端末登録画面４０８ｊを表示する。
【０１２２】
Ｓ１４０２において、戻るアイコン４０８ｊ５の選択入力を受け付けた場合には、端末登録処理Ｓ９１３を終了する。
【０１２３】
次に図２５Ａと図２５Ｂは、携行品確認処理Ｓ８０６の一例を示すシーケンス図である。図２５Ａはシーケンス前半、図２５Ｂはシーケンス後半を示し、携行品管理装置４００と情報端末装置１００とが連携して処理を行う。処理中の表示画面を、図２６と図２７で示す。
【０１２４】
図２５Ａにおいて、携行品管理装置４００は、計時部４１０から日時情報を取得し（Ｓ１５０１）、現在の時刻が所定のスケジュール取得時刻を経過したか否かにより分岐処理を行う（Ｓ１５０２）。所定の時刻としては、例えばユーザのスケジュールが確定しており、ユーザが出かける前の時刻（例えば午前４時など）が望ましい。所定の時刻を経過していない場合（Ｎｏ）には、Ｓ１５０８に進む。
【０１２５】
所定の時刻を経過した場合（Ｙｅｓ）には、スケジュール連携する情報端末装置があるか否かによる分岐処理を行う（Ｓ１５０３）。スケジュール連携する情報端末装置がない場合（Ｎｏ）にはＳ１５０８に進む。スケジュール連携する情報端末装置がある場合（Ｙｅｓ）には、スケジュール情報を取得済か否かによる分岐処理を行う（Ｓ１５０４）。取得済の場合（Ｙｅｓ）にはＳ１５０８に進む。
【０１２６】
Ｓ１５０４の判定でスケジュール情報を未取得の場合（Ｎｏ）には、スケジュール連携する情報端末装置１００に対し、Ｓ１５０１で取得した日についてのスケジュール情報の取得要求を送信する（Ｓ１５０５）。情報端末装置１００は要求を受信すると、ストレージ部１０５のスケジュール情報記憶領域１０５ｄ１に記憶されたスケジュール情報に基づいて、該当するスケジュール情報を携行品管理装置４００に送信する（Ｓ１５０６）。携行品管理装置４００では、受信したスケジュール情報をストレージ部４０５のスケジュール情報記憶領域４０５ｂに記憶する（Ｓ１５０７）。
【０１２７】
次にＳ１５０８では、タグリーダ部４０７により携行品管理装置４００の周辺に存在する携行品の無線タグ３００のタグ情報の読み取りを行ない、無線タグを検知した（タグ情報の読み取りができた）か否かによる分岐処理を行う（Ｓ１５０９）。無線タグが検知できない場合（Ｎｏ）には携行品確認処理Ｓ８０６を終了する。無線タグを検知した場合（Ｙｅｓ）には、ストレージ部の管理情報記憶領域４０５ａから携行品管理情報を、またスケジュール情報記憶領域４０５ｂからスケジュール情報の読み込みを行う（Ｓ１５１０）。読み込んだ携行品管理情報の例は前記図１１に示す通りで、携行条件設定１１ｅでは、曜日毎の携行品と出張日の携行品が設定されている。その後、読み取ったタグ情報と携行品管理情報に基づいてユーザの判別処理を行う（Ｓ１５１１）。ユーザ判別処理の詳細については、図２８で後述する。
【０１２８】
続いて図２５Ｂにおいて、携行品管理装置４００では、読み取ったタグ情報と携行品管理情報及びスケジュール情報に基づいて携行品忘れの判定を行う（Ｓ１５１２）。すなわち、Ｓ１５１１で判別したユーザに関する携行品管理情報を参照し、Ｓ１５０１で取得した日時情報の曜日の携行条件設定がフラグ“１”になっている携行品、或いはスケジュール情報で当該日が出張日の場合には出張日の携行条件設定がフラグ“１”になっている携行品と、Ｓ１５０８で読み取った無線タグの携行品を比較する。そして、フラグ“１”の携行品の中で読み取った無線タグの携行品に含まれていないものを携行忘れ品と判定する。
【０１２９】
次に、通知連携する情報端末装置があるか否かによる分岐処理を行う（Ｓ１５１３）。通知連携する情報端末装置ある場合（Ｙｅｓ）には、携行品忘れ情報を情報端末装置１００に通知する（Ｓ１５１４）。情報端末装置１００の通知管理実行部１０４ｂは、受信した携行品忘れ情報に基づいて携行品忘れの有無をユーザに通知するため、携行品忘れ通知画面１２１ａを表示する（Ｓ１５１７）。
図２６に、携行品忘れ通知画面１２１ａの表示例を示す。携行品忘れ通知画面１２１ａは、判別したユーザ名１２１ａ１、携行忘れ品の品名を含む通知メッセージ１２１ａ２、終了アイコン１２１ａ３で構成される。
【０１３０】
続いて、ユーザのタップ操作等による携行品忘れ通知画面１２１ａを構成する終了アイコン１２１ａ３の選択入力の受け付けを行い（Ｓ１５１８）、選択入力に応じて分岐処理を行う（Ｓ１５１９）。Ｓ１５１８において、終了アイコン１２１ａ３の選択入力がない場合（Ｎｏ）にはＳ１５１８に戻り、再度選択入力の受け付けを行う。Ｓ１５１８において、終了アイコン１２１ａ３の選択入力を受け付けた場合（Ｙｅｓ）には、携行品管理装置４００へ携行品忘れ通知の確認応答を送信する（Ｓ１５２０）。
【０１３１】
Ｓ１５１３において、通知連携する情報端末装置がない場合（Ｎｏ）には、携行品忘れの有無をユーザに通知するため、携行品管理装置４００の表示部４０８に携行品忘れ通知画面４０８ｋを表示する（Ｓ１５１５）。
図２７に、携行品忘れ通知画面４０８ｋの表示例を示す。携行品忘れ通知画面４０８ｋは、判別したユーザ名４０８ｋ１、携行忘れ品の品名を含む通知メッセージ４０８ｋ２、終了アイコン４０８ｋ３で構成される。
【０１３２】
続いて、ユーザのタップ操作等による携行品忘れ通知画面４０８ｋを構成する終了アイコン４０８ｋ３の選択入力の受け付けを行う（Ｓ１５１６）。分岐処理Ｓ１５２１では、Ｓ１５１６で終了アイコン４０８ｋ３の選択入力の受け付け、或いは情報端末装置１００から携行品忘れ通知の確認応答を受信しない場合（Ｎｏ）には、Ｓ１５１６に戻る。Ｓ１５１６で終了アイコン４０８ｋ３の選択入力の受け付け、或いは情報端末装置１００から携行品忘れ通知の確認応答を受信した場合（Ｙｅｓ）には、判別したユーザ名毎に携行品確認ログ情報を作成してストレージ部の管理情報記憶領域４０５ａに記憶する（Ｓ１５２２）。記憶する携行品確認ログ情報の例は、前記図１３に示した通りで、携行品の曜日毎と出張日における携行回数等が記述されている。
【０１３３】
次にＳ１５２３では、管理情報更新処理を実行する。管理情報更新処理では、未登録と判定した携行品を自動登録し、また学習機能により携行品の携行要否を自動設定する。携行品管理情報更新処理は前記図１６と同様である。これで携行品確認処理Ｓ８０６を終了し、図２０のＳ８０１に戻ってホーム画面４０８ｉを表示する。
【０１３４】
このように本実施例の携行品確認処理によれば、携行品管理装置４００と情報端末装置１００とが連携して携行忘れ品を判定してユーザに通知することができる。その際、情報端末装置１００からユーザのスケジュール情報を取得し、また携行忘れ品を情報端末装置１００へ通知することができるので、管理機能が向上する。
【０１３５】
なお、上記の実施例では、Ｓ１５１３において通知連携する情報端末装置がない場合（Ｎｏ）に携行品管理装置４００の表示部４０８に携行品忘れ通知画面４０８ｋを表示するものとしたが、Ｓ１５１３において通知連携する情報端末装置がある場合（Ｙｅｓ）においても同様に、携行品管理装置４００の表示部４０８に携行品忘れ通知画面４０８ｋを表示するようにしてもよい。
【０１３６】
図２８は、ユーザ判別処理Ｓ１５１１の一例を示すシーケンス図である。この処理も情報端末装置１００と連携して行う。
【０１３７】
まず、携行品管理装置４００は、読み取った無線タグの中に登録済の無線タグがあるか否かによる分岐処理を行う（Ｓ１６０１）。
【０１３８】
読み取った無線タグの中に登録済の無線タグがある場合（Ｙｅｓ）には、読み取った無線タグに複数のユーザの無線タグが含まれているか否かによる分岐処理を行う（Ｓ１６０３）。一人のユーザの無線タグのみが含まれる場合（Ｎｏ）には、携行品管理装置４００で携行品確認を行っているのは読み取った無線タグを登録しているユーザと判別する（Ｓ１６０４）。
【０１３９】
読み取った無線タグの中に複数のユーザの無線タグが含まれる場合（Ｙｅｓ）には、通知連携する情報端末装置あるか否かによる分岐処理を行う（Ｓ１６０５）。通知連携する情報端末装置ある場合（Ｙｅｓ）には、ユーザ選択通知情報を情報端末装置１００に送信する（Ｓ１６０６）。情報端末装置１００の通知管理実行部１０４ｂでは、受信したユーザ選択通知情報に基づいて、ユーザを選択するためのユーザ選択画面を表示する（Ｓ１６０７）。情報端末装置１００の表示部１２１には、前記図１５に準ずるユーザ選択画面が表示され、読み取った無線タグに対応したユーザのリストが表示される。ユーザのタップ操作等により表示されたユーザリストの選択入力の受け付けを行い（Ｓ１６０８）、ユーザ選択応答を携行品管理装置４００に送信する。
【０１４０】
Ｓ１６０５において、通知連携する情報端末装置ない場合（Ｎｏ）には、携行品管理装置４００の表示部４０８にてユーザを選択するためのユーザ選択画面を表示する（Ｓ１６１０）。その際のユーザ選択画面は図１５と同様である。ユーザのタップ操作等により表示されたユーザリストの選択入力の受け付けを行う（Ｓ１６１１）。分岐処理Ｓ１６１２では、Ｓ１６１１でユーザ選択の入力の受け付け、或いは情報端末装置１００からユーザ選択応答を受信しない場合（Ｎｏ）には、Ｓ１６１１に戻る。Ｓ１６１１でユーザ選択の入力の受け付け、或いは情報端末装置１００からユーザ選択応答の受信がある場合（Ｙｅｓ）には、選択されたユーザ名のユーザが携行品管理装置４００で携行品確認を行っていると判別する。
【０１４１】
Ｓ１６０１において、読み取った無線タグの中に登録済の無線タグがない場合（Ｎｏ）には、ユーザ登録処理を行う（Ｓ１６０２）。ユーザ登録処理Ｓ１６０２では、図５に示したユーザ登録処理と同じ処理を行う。これにより、図６Ａに示したようなユーザリスト画面４０８ｂを表示し、ユーザが登録されていればリストに表示されたユーザ名を選択し、図６Ｂのユーザ登録画面４０８ｃで携行品登録Ｂアイコン４０８ｃ２を選択して携行品の登録を行う。ユーザが登録されていなければ、図６Ａのユーザリスト画面４０８ｂで追加アイコン４０８ｂ２を選択し、図６Ｂのユーザ登録画面４０８ｃで、ユーザ名等の入力及び携行品登録Ｂアイコン４０８ｃ２を選択して携行品の登録を行う。
【０１４２】
以上の処理により、携行品確認を行うユーザを判別することができる。なお、上記の実施例では、Ｓ１６０５において通知連携する情報端末装置がない場合（Ｎｏ）に携行品管理装置４００の表示部４０８にユーザを選択するためのユーザ選択画面を表示するものとしたが、Ｓ１６０５において通知連携する情報端末装置がある場合（Ｙｅｓ）においても同様に、携行品管理装置４００の表示部４０８にユーザを選択するためのユーザ選択画面を表示するようにしてもよい。
【０１４３】
上記説明した携行管理システムによれば、携行品管理装置を例えば玄関に設置することで、ユーザが玄関を通る際に無線タグ情報の読み込みを行い、曜日やイベント毎に携行品忘れの通知を連携した情報端末装置に表示することができる。すなわち、例えば子供の携行品忘れの通知連携端末として親の情報端末装置を登録しておくことで、子供が登校時に携行品を忘れた際に親の情報端末装置に通知することが可能になる。また、ビジネスマンが出張時に通常とは異なる物を携行すべき場合にも、出張などのスケジュール情報を登録した情報端末装置と連携させることで、自動的に出張時に対応した携行品忘れを判定することが可能となる。
【０１４４】
上記した実施例は、次の変形が可能である。上記例では情報端末装置からユーザのスケジュール情報を取得するようにしたが、インターネット等の広域公衆ネットワーク２０１に接続したサーバ上にユーザのスケジュール情報を記憶し、ＬＡＮ通信部４１１ａを介してスケジュール情報を取得するようにしてもよい。また、携行品忘れ通知画面４０８ｋ或いは１２１ａを表示する際に、警告音を携行品管理装置の音声出力部４０９或いは情報端末装置の音声出力部１３１から出力するようにしてもよい。これにより、通知連携端末として登録した情報端末装置自身をユーザが忘れた場合にも、音により携行忘れを通知することができる。さらに、携行品管理装置からＢｌｕｅｔｏｏｔｈ通信等で連携した腕時計型等の情報端末装置に通知を行うようにしてもよい。また、スケジュール連携を行う情報端末装置と通知連携する情報端末装置を別々に登録してもよい。また、通知連携する情報端末装置を複数登録してもよい。
【０１４５】
実施例２によれば、携行品管理装置による携行品確認結果をこれと連携する情報端末装置に通知することができる。また、情報端末装置から取得したユーザのスケジュール情報に基づいて携行品忘れを判定することができるので、携行品管理機能をより拡充させることができる。
【０１４６】
上記各実施例の構成、機能等は、それらの一部または全部を、例えば集積回路で設計する等によりハードウェアで実現しても良い。また、マイクロプロセッサユニット等がそれぞれの機能等を実現するプログラムを解釈して実行することによりソフトウェアで実現しても良い。ハードウェアとソフトウェアを併用しても良い。また、図中に示した制御線や情報線は説明上必要と考えられるものを示しており、必ずしも製品上の全ての制御線や情報線を示しているとは限らない。実際には殆ど全ての構成が相互に接続されていると考えても良い。
【符号の説明】
【０１４７】
１００：情報端末装置、１０４ｂ：通知管理実行部、１０５ｄ１：スケジュール情報記憶領域（スケジュール情報記憶部）、１４０：通信処理部、３００：無線タグ、４００：携行品管理装置、４０３ａ：携行品管理実行部、４０５ａ：管理情報記憶領域（管理情報記憶部）、４０５ｂ：スケジュール情報記憶領域（スケジュール情報記憶部）、４０７：タグリーダ部（タグ情報読取部）、４１０：計時部、４１１：通信処理部、４０５０：携行品管理情報、４０５１；携行品確認ログ情報。
【図１】
0006661457.tif 000002
【図２Ａ】
0006661457.tif 000003
【図２Ｂ】
0006661457.tif 000004
【図３】
0006661457.tif 000005
【図４】
0006661457.tif 000006
【図５】
0006661457.tif 000007
【図６Ａ】
0006661457.tif 000008
【図６Ｂ】
0006661457.tif 000009
【図６Ｃ】
0006661457.tif 000010
【図６Ｄ】
0006661457.tif 000011
【図７】
0006661457.tif 000012
【図８】
0006661457.tif 000013
【図９】
0006661457.tif 000014
【図１０】
0006661457.tif 000015
【図１１】
0006661457.tif 000016
【図１２】
0006661457.tif 000017
【図１３】
0006661457.tif 000018
【図１４】
0006661457.tif 000019
【図１５】
0006661457.tif 000020
【図１６】
0006661457.tif 000021
【図１７】
0006661457.tif 000022
【図１８Ａ】
0006661457.tif 000023
【図１８Ｂ】
0006661457.tif 000024
【図１９Ａ】
0006661457.tif 000025
【図１９Ｂ】
0006661457.tif 000026
【図２０】
0006661457.tif 000027
【図２１】
0006661457.tif 000028
【図２２】
0006661457.tif 000029
【図２３Ａ】
0006661457.tif 000030
【図２３Ｂ】
0006661457.tif 000031
【図２４】
0006661457.tif 000032
【図２５Ａ】
0006661457.tif 000033
【図２５Ｂ】
0006661457.tif 000034
【図２６】
0006661457.tif 000035
【図２７】
0006661457.tif 000036
【図２８】
0006661457.tif 000037